(57)【要約】【課題】  Ｘ−Ｙの各方向へ移動するヘッドを有し、電力供給用や信号伝達用の配線部材を、ヘッドの移動に追従できるように配線したヘッド移動装置を提供する。【解決手段】  フレキシブル配線板で、第１の配線部材４０と第２の配線部材５０を形成する。それぞれの配線部材４０，５０は、固定部４１，５１と、Ｘ延出部４２，５２と、第１のループ部４３，５３と、Ｘ戻り部４４，５４を有している。Ｘ戻り部４４，５４とＹ延出部４６，５６との境界部である中間固定部４５，５５は、中間移動部に固定されている。また、Ｙ延出部４６，５６は第２のループ部４７，５７で折り返され、ヘッド固定部４９，５９がヘッドに固定されている。ヘッドがＸ方向へ移動する際には、第１のループ部４３，５３が移動し、Ｙ方向へ移動するときには、第２のループ部４７，５７が移動する。【選択図】図２
2008007656.tif 000002
【特許請求の範囲】
【請求項１】
基台と、前記基台上でＸ方向へ往復移動自在に支持された中間移動部と、前記中間移動部に支持されて、前記Ｘ方向と直交する方向であるＹ方向へ往復移動自在なヘッドと、前記中間移動部および前記ヘッドに移動力を与える駆動手段とが設けられたヘッド移動装置において、
前記基台から前記ヘッドに延びる帯状の配線部材が設けられ、前記配線部材が以下の部分を有することを特徴とするヘッド移動装置。
（ａ）前記基台側に固定される固定部、
（ｂ）前記固定部からＸ方向へ延びるＸ延出部、
（ｃ）前記Ｘ延出部から第１のループ部で折り返えされてＸ方向へ戻るＸ戻り部、
（ｄ）前記Ｘ戻り部の先部または途中部分で、前記中間移動部に固定される中間固定部、
（ｅ）前記中間固定部からＹ方向へ延び且つ前記ヘッドを通過するＹ延出部、
（ｆ）前記Ｙ延出部から第２のループ部で折り返されてＹ方向へ戻り、その先部または途中部分が前記ヘッドに固定されるＹ戻り部。
【請求項２】
前記（ｄ）の中間固定部では、帯状の前記配線部材が、前記Ｘ戻り部から前記Ｙ延出部へほぼ直角に折り曲げられ、この折曲げ部分が前記中間移動部に固定されている請求項１記載のヘッド移動装置。
【請求項３】
前記（ｃ）のＸ戻り部は、その幅方向が前記Ｙ方向へ向けられ、前記（ｅ）のＹ延出部は、その幅方向が前記Ｘ方向に向けられており、
前記中間移動部には、Ｘ−Ｙ平面と平行な固定面が設けられ、前記（ｄ）の中間固定部が、前記固定面に固定されている請求項１または２記載のヘッド移動装置。
【請求項４】
前記固定面は、前記基台の外へ突出し、前記（ｂ）のＸ延出部および前記（ｃ）のＸ戻り部は、前記基台の外側に設けられている請求項３記載のヘッド移動装置。
【請求項５】
前記（ｃ）のＸ戻り部は、その幅方向がＸ−Ｙ平面と直交する方向へ向けられ、前記（ｅ）のＹ延出部は、その幅方向が前記Ｘ方向に向けられており、
前記中間移動部には、Ｘ−Ｙ平面と直交する固定面が設けられ、前記（ｄ）の中間固定部が、前記固定面に固定されている請求項１または２記載のヘッド移動装置。
【請求項６】
前記（ａ）ないし（ｆ）の各部分を有する第１の配線部材と第２の配線部材が設けられ、
第１の配線部材における前記（ｂ）のＸ延出部および前記（ｃ）のＸ戻り部が、前記中間移動部の一方の側部に設けられ、第２の配線部材における前記（ｂ）のＸ延出部および前記（ｃ）のＸ戻り部が、前記中間移動部の他方の側部に設けられている請求項１ないし５のいずれかに記載のヘッド移動装置。
【請求項７】
前記第２の配線部材によって、前記ヘッドに搭載された駆動部に駆動電力が与えられ、前記ヘッドに搭載された検出部から、前記第１の配線部材を経て検出信号が取り出される請求項６記載のヘッド移動装置。
【発明の詳細な説明】
【技術分野】
【０００１】
本発明は、ヘッドをＸ−Ｙ平面内で移動させるヘッド移動装置に係り、前記ヘッドに電力供給用や信号伝達用の配線部材が接続されたヘッド移動装置に関する。
【背景技術】
【０００２】
光ヘッド、印刷ヘッド、磁気ヘッドなどの各種ヘッドは、記録媒体やプラテンに対向した状態で、直線的に往復移動するが、この各種ヘッドに、電力供給用や信号伝達用の配線部材を接続する場合に、通常は前記配線基板が薄型のフレキシブル配線板で形成される。【０００３】
以下の特許文献１や特許文献２に記載のように、前記フレキシブル配線板は、その基部がベースなどの固定側部材に固定されて、ヘッドの移動方向に向けて延びるとともに、ループ部を介して折り返され、その先端がヘッドに固定されている。ヘッドが直線移動するときに、前記ループ部の位置が移動することで、フレキシブル配線板が、移動するヘッドに追従できるようにしている。
【特許文献１】特開２０００−２５１４２１号公報
【特許文献２】特開２００３−０５３９７５号公報
【発明の開示】
【発明が解決しようとする課題】
【０００４】
前記特許文献１または特許文献２に記載のように、ヘッドが直線方向へ往復移動するものでは、ヘッドの移動方向に延びるフレキシブル基板に前記ループ部を形成することで、フレキシブル配線基板を、ヘッドの移動に追従させることができる。しかし、基台に対して、ヘッドが互いに直交するＸ方向とＹ方向のそれぞれへ移動するものでは、前記フレキシブル配線板を、ヘッドの移動に追従させるのは困難である。【０００５】
また、Ｘ方向へ移動するフレキシブル配線板と、Ｙ方向へ移動するフレキシブル配線板とを、組合わせて使用することが必要になり、配線構造が複雑になる。【０００６】
本発明は、上記従来の課題を解決するものであり、Ｘ−Ｙ方向へ移動するヘッドに、簡単な構造で配線部材を追従させることができるようにしたヘッド移動装置を提供することを目的としている。
【課題を解決するための手段】
【０００７】
本発明は、基台と、前記基台上でＸ方向へ往復移動自在に支持された中間移動部と、前記中間移動部に支持されて、前記Ｘ方向と直交する方向であるＹ方向へ往復移動自在なヘッドと、前記中間移動部および前記ヘッドに移動力を与える駆動手段とが設けられたヘッド移動装置において、
前記基台から前記ヘッドに延びる帯状の配線部材が設けられ、前記配線部材が以下の部分を有することを特徴とするものである。【０００８】
（ａ）前記基台側に固定される固定部、
（ｂ）前記固定部からＸ方向へ延びるＸ延出部、
（ｃ）前記Ｘ延出部から第１のループ部で折り返えされてＸ方向へ戻るＸ戻り部、
（ｄ）前記Ｘ戻り部の先部または途中部分で、前記中間移動部に固定される中間固定部、
（ｅ）前記中間固定部からＹ方向へ延び且つ前記ヘッドを通過するＹ延出部、
（ｆ）前記Ｙ延出部から第２のループ部で折り返されてＹ方向へ戻り、その先部または途中部分が前記ヘッドに固定されるＹ戻り部。【０００９】
本発明のヘッド移動装置では、外部とヘッドとの間に、電力供給用あるいは信号伝達用の配線部材が設けられている。この配線部分の中間部分である中間固定部が中間移動部に固定されることにより、中間移動部がＸ方向へ移動するときと、ヘッドがＹ方向へ移動するときの双方において、配線部材を変形させることができる。また、配線部材が変形するのに要するスペースも狭くてすむ。【００１０】
本発明は、好ましくは、前記（ｄ）の中間固定部では、帯状の前記配線部材が、前記Ｘ戻り部から前記Ｙ延出部へほぼ直角に折り曲げられ、この折曲げ部分が前記中間移動部に固定されているものである。【００１１】
帯状の配線部材をほぼ直角に折り曲げて、前記中間固定部とすることにより、帯状で直線的に延びる配線部材であっても、Ｘ−Ｙ方向へ移動するヘッドに配線することが可能になる。【００１２】
例えば、本発明は、前記（ｃ）のＸ戻り部は、その幅方向が前記Ｙ方向へ向けられ、前記（ｅ）のＹ延出部は、その幅方向が前記Ｘ方向に向けられており、前記中間移動部には、Ｘ−Ｙ平面と平行な固定面が設けられ、前記（ｄ）の中間固定部が、前記固定面に固定されているものである。【００１３】
この場合、前記固定面は、前記基台の外へ突出し、前記（ｂ）のＸ延出部および前記（ｃ）のＸ戻り部は、前記基台の外側に設けられているものにできる。【００１４】
上記構成では、Ｘ延出部とＸ戻り部および第１のループ部が、基台の側部外方に位置していても、中間移動部がＸ方向へ移動するときに、前記第１のループ部が基台の側部外方で移動することができる。【００１５】
あるいは、本発明は、前記（ｃ）のＸ戻り部は、その幅方向がＸ−Ｙ平面と直交する方向へ向けられ、前記（ｅ）のＹ延出部は、その幅方向が前記Ｘ方向に向けられており、前記中間移動部には、Ｘ−Ｙ平面と直交する面と平行な固定面が設けられ、前記（ｄ）の中間固定部が、前記固定面に固定されているものであってもよい。【００１６】
上記構成では、Ｘ延出部とＸ戻り部および第１のループ部を、中間移動部の側面と基台との間に配置することが可能である。【００１７】
また本発明は、前記（ａ）ないし（ｆ）の各部分を有する第１の配線部材と第２の配線部材が設けられ、第１の配線部材における前記（ｂ）のＸ延出部および前記（ｃ）のＸ戻り部が、前記中間移動部の一方の側部に設けられ、第２の配線部材における前記（ｂ）のＸ延出部および前記（ｃ）のＸ戻り部が、前記中間移動部の他方の側部に設けられているものとして構成できる。【００１８】
この場合、前記第２の配線部材によって、前記ヘッドに搭載された駆動部に駆動電力が与えられ、前記ヘッドに搭載された検出部から、前記第１の配線部材を経て検出信号が取り出されるものとして構成できる。
【発明の効果】
【００１９】
本発明では、Ｘ−Ｙ平面内で移動するヘッドに対して、フレキシブル配線板などの帯状の配線部材で配線を行うことができる。しかも、ヘッドがＸ−Ｙ平面内で移動する際に、帯状の配線部材の配線スペースを広く必要とせず、配線か絡まることもなく、効率的な配線が可能である。
【発明を実施するための最良の形態】
【００２０】
図１は本発明の実施の形態のヘッド移動装置の斜視図、図２は前記ヘッド移動装置に設けられている一対の配線部材を示す斜視図、図３はヘッドの内部構造を示すブロック図である。【００２１】
図１に示すヘッド移動装置１は、ホログラム再生装置に使用されるものであり、図１では、記録媒体と対向する側（Ｚ１方向）を上向きとして示している。【００２２】
ヘッド移動装置１は基台１０を有している。基台１０は、アルミニウム合金などの軽金属でダイカスト成型されたもの、あるいは合成樹脂で射出成型されたもの、または板金材料をプレス加工したものなどであり、ほぼ正方形あるいは長方形の枠形状である。【００２３】
基台１０には、平板状の上板部１１とこの上板部１１を囲む４つの側板１２、１３、１４、１５が設けられている。この側版１２、１３は図１のＸ軸方向に延設されており、側板１４、１５はＹ軸方向に延設されている。【００２４】
また基台１０内には、側板１３の内側に、側板１３と平行に延びるＸ軸方向送りスクリュー軸１６が設けられている。Ｘ軸方向送りスクリュー軸１６は、側板１４に設けられた軸受部１８および側板１５に設けられた軸受部１７により回動自在に支持されている。また、前記Ｘ方向送りスクリュー軸１６のＸ１方向の端部には、歯車１９が連結固定されている。前記基台１０の側板１３よりも外側には、Ｘ方向送りモータ（図示せず）が設けられており、このＸ方向送りモータの駆動力が前記歯車１９に伝達されて、Ｘ方向送りスクリュー軸１６が回転駆動される。【００２５】
前記基台１０の各側板１２，１３，１４，１５で囲まれた空間内には、中間移動部２０が設けられている。この中間移動部２０は、軽金属または合成樹脂で形成されたものであり、さらに４つの中間側部２１、２２、２３、２４を有している。【００２６】
中間移動部２０の中間側部２２には、前記Ｘ方向送りスクリュー軸１６が挿通されて、中間側部２２が前記Ｘ方向送りスクリュー軸１６によってＸ１−Ｘ２方向へ移動できるように案内されている。また中間側部２２には、Ｘ方向送りスクリュー軸１６のねじ溝１６ａに係合する雌ねじ部または係合突起が設けられている。また、中間移動部２０の中間側部２１が、基台１の側板１２に設けられた案内部に摺動自在に支持されている。Ｘ送り用の駆動手段である前記Ｘ送りモータにより前記Ｘ送りスクリュー軸１６が回転駆動されると、ねじ溝１６ａの送り動作により、中間移動部２０がＸ１−Ｘ２方向へ移動する。【００２７】
中間移動部２０には、Ｙ方向送りスクリュー軸２５が設けられている。Ｙ方向送りスクリュー軸２５は、中間移動部２０の中間側部２４の内側で、中間側部２４と平行に延びている。またＹ方向送りスクリュー軸２５は、中間側部２１に設けられた軸受部２６と、中間側部２２に設けられた軸受部２７によって、回転自在に支持されている。Ｙ方向送りスクリュー軸２５のＹ２方向の端部には歯車２８が連結固定されている。中間移動部２０の中間側部２２の内側には、Ｙ方向送りモータ（図示せず）が搭載されており、Ｙ方向送りスクリュー軸２５は、Ｙ方向送りモータにより回転駆動される。【００２８】
中間移動部２０には、ヘッド３０が搭載されている。ヘッド３０は、軽金属または合成樹脂で形成されたヘッドベース３１を有している。ヘッドベース３１のＸ２側には軸支持部３２が設けられ、この軸支持部３２内に前記Ｙ方向送りスクリュー軸２５が挿通されている。また、前記軸支持部３２内には、Ｙ方向送りスクリュー軸２５のねじ溝２５ａに係合する板ばね製の係合部材３３が設けられている。【００２９】
中間移動部２０の中間側部２３には、Ｙ方向へ延びる摺動案内部２９が設けられており、前記ヘッドベース３１のＸ１側に設けられた摺動部３４が、前記摺動案内部２９に摺動自在に支持されている。【００３０】
中間移動部２０に搭載されている前記Ｙ方向送りモータの回転力が歯車２８を介してＹ方向送りスクリュー軸２５に伝達されると、ねじ溝２５ａの送り力により、ヘッドベース３１が、中間移動部２０内においてＹ１−Ｙ２方向へ移動する。【００３１】
基台１０側から前記ヘッド３０への配線のために、第１の配線部材４０と第２の配線部材５０が設けられている。第１の配線部材４０と第２の配線部材５０は、可撓性の帯状の配線部材である。この配線部材は、プラスチックシートの表面にリード導体がパターン形成されたいわゆるフレキシブル配線板であり、または複数の被覆導線が並べられて接合されたいわゆるフラットケーブルなどである。図１と図２に示す実施の形態では、前記第１の配線部材４０と第２の配線部材５０がフレキシブル配線板である。【００３２】
図１に示すように、基台１０の側板１２の外側には、固定金具６１が固定されている。固定金具６１の固定片６１ａは、Ｘ−Ｙ平面とほぼ平行に延び、この固定片６１ａのＺ１側に向く面が固定面となっている。【００３３】
前記第１の配線部材４０は、途中部分に固定部４１が設けられており、この固定部４１が前記固定片６１ａの固定面に接着などの手段で固定されている。第１の配線部材４０は、固定部４１からＸ２方向に延びるＸ延出部４２と、このＸ延出部４２からほぼ１８０度反転するように曲げられた第１のループ部４３と、第１のループ部４３から連続してＸ１方向へ戻るＸ戻り部４４とを有している。【００３４】
Ｘ延出部４２とＸ戻り部４４の面は、Ｘ−Ｙ平面とほぼ平行に位置しており、Ｘ延出部４２とＸ戻り部４４の幅方向はＹ１−Ｙ２方向である。また第１のループ部４３は、Ｙ軸と平行な軸を中心とするほぼ円筒軌跡に沿っている。【００３５】
第１の配線部材４０は、前記Ｘ戻り部４４と連続する中間固定部４５およびＹ延出部４６を有している。図２に示すように、前記中間固定部４５では、帯状の配線部材が、その側辺に対して４５度の角度で延びる折り曲げ線４５ａによって二つ折りに折り畳まれている。Ｘ延出部４２とＸ戻り部４４およびＹ延出部４６は、同じ幅寸法で直線状に延びる帯形状のフレキシブル配線板であり、前記中間固定部４５において、４５度の角度での前記折り曲げ線４５ａで折り畳むことにより、Ｘ戻り部４４とＹ延出部４６とが、ほぼ直角方向に延びている。【００３６】
前記中間移動部２０の中間側部２１には、Ｙ１方向へ突出する突出部６２が設けられており、そのＺ１側に向く面が、Ｘ−Ｙ平面と平行な固定面６２ａとなっている。そして、前記中間固定部４５は、前記固定面６２ａに接着剤などで固定されている。中間移動部２０から延びる前記固定面６２ａは、基台１０の側板１２よりもＹ１側の外側に突出している。したがって、第１の配線部材４０のＸ延出部４２と第１のループ部４３およびＸ戻り部４４は、前記側板１２よりも外側に位置している。【００３７】
また、第１の配線部材４０のＹ延出部４６は、前記固定面６２ａから、基台１０の内側に入り、さらに中間移動部２０の内側に入ってＹ２方向へ直線的に延びている。図１に示すように、Ｙ延出部４６は、ヘッドベース３１のＺ１側を通過するように配置されており、ヘッドベース３１よりもＹ２側には、前記Ｙ延出部４６と連続する第２のループ部４７が形成されている。さらに、第２のループ部４７で１８０度折り返されたＹ戻り部４８が、ヘッドベース３１のＺ２側の面に至り、Ｙ戻り部４８の先部のヘッド固定部４９が、ヘッドベース３１に固定されている。【００３８】
前記Ｙ延出部４６およびＹ戻り部４８は、その面が、Ｘ−Ｙ平面とほぼ平行であり、Ｙ延出部４６およびＹ戻り部４８は、共にその幅方向がＸ１−Ｘ２方向に向けられている。また、第２のループ部４７は、Ｘ軸と平行な軸を中心とするほぼ円筒軌跡に沿っている。【００３９】
第１の配線部材４０では、中間移動部２０がＸ１−Ｘ２方向へ移動するときに、第１のループ部４３が、基台１０の外部でＸ１−Ｘ２方向へ移動することで、配線部材に捻れなどが生じることなく、中間移動部２０の移動動作に追従する。また、ヘッドベース３１がＹ１−Ｙ２方向へ移動すると、第２のループ部４７がヘッドベース３１の移動に追従してＹ１−Ｙ２方向へ移動する。これにより、第１の配線部材４０は、捻れが生じることなくヘッドベース３１の移動に追従する。【００４０】
また、Ｘ戻り部４４とＹ延出部４６との境界部である中間固定部４５が、中間移動部２０に固定されていることにより、Ｘ方向へ移動したときの撓み変形と、Ｙ方向へ移動したときの撓み変形を、互いに影響することなく分離させることができる。すなわち、中間移動部２０がＸ方向へ移動して第１のループ部４３がＸ１−Ｘ２方向へ移動するときには、この第１のループ部４３の変形がＹ延出部４６に直接に影響を与えることがない。同様に、ヘッドベース３１がＹ１−Ｙ２方向へ移動し、第２のループ部４７がＹ１−Ｙ２方向へ移動する際には、第２のループ部４７の撓み変形力が、Ｘ延出部４２およびＸ戻り部４４に直接に影響を与えることがない。このように、第１の配線部材４０を単一の配線材で構成していても、Ｘ方向への移動による撓み変形力と、Ｙ方向への移動による撓み変形力の影響をそれぞれ分離することが可能となっている。【００４１】
次に、第２の配線部材５０は、その固定部５１が、基台１０の側板１３の内側に固定されている。固定部５１から延びるＸ延出部５２は、基台１０の側板１３の内面に沿ってＸ２方向に延びている。第２の配線部材５０は、Ｘ延出部５２から第１のループ部５３でほぼ１８０度の角度で反転されて、Ｘ戻り部５４がＸ１方向へ延びている。図１に示すように、Ｘ延出部５２と第１のループ部５３およびＸ戻り部５４は、基台１０の側板１３とＸ送りスクリュー軸１６との間の領域に配置されている。【００４２】
Ｘ延出部５２とＸ戻り部５４の面は、Ｘ−Ｚ平面と平行に向けられ、Ｘ延出部５２およびＸ戻り部５４の幅方向はＺ１−Ｚ２方向へ向けられている。また、第１のループ部５３は、Ｚ軸と平行な軸を中心として円筒軌跡に沿っている。【００４３】
第２の配線部材５０には、Ｘ戻り部５４からほぼ直角に折り畳まれた中間固定部５５が設けられている。中間固定部５５はＸ−Ｚ平面と平行であり、この中間固定部５５は、中間移動部２０の中間側部２２の外面に位置する固定面に固定されている。中間固定部５５では、第２の配線部材５０が、その側辺に対して４５度の角度の折り曲げ線５５ａにより二つ折りに折り畳まれている。そして、中間固定部５５から延びるＹ延出部５６が、中間移動部２０の内部に至りＹ１方向に延びている。第２の配線部材５０では、Ｘ延出部５２とＸ戻り部５４からＹ延出部５６にかけて、フレキシブル配線板が、同じ幅寸法で直線状に延びる帯形状とされている。そして、この帯状のフレキシブル配線板が折り曲げ線５５ａで折り畳まれることにより、Ｘ戻り部５４とＹ延出部５６とがほぼ直角方向に延びている。【００４４】
図１に示すように、第２の配線部材５０のＹ延出部５６は、ヘッドベース３１のＺ１側を通過し、ヘッドベース３１を越えてＹ１側に延びている。そして、Ｙ延出部５６から第２のループ部５７によってほぼ１８０度折り返されたＹ戻り部５８が、Ｙ２方向へ延び、Ｙ戻り部５８の先部のヘッド固定部５９が、ヘッドベース３１のＺ２側の面に固定される。【００４５】
第２の配線部材５０においても、中間移動部２０がＸ１−Ｘ２方向へ移動すると、これに追従して第１のループ部５３がＸ１−Ｘ２方向へ移動し、ヘッドベース３１がＹ１−Ｙ２方向へ移動すると、第２のループ部５７がヘッドベース３１の移動に追従してＹ１−Ｙ２方向へ移動する。また、中間固定部５５が、中間移動部２０に固定されているため、第１のループ部５３の変形と第２のループ部５７の変形とを互いに影響を与えないように独立させることができる。【００４６】
また、中間固定部５５とＹ延出部５６とは、Ｘ１−Ｘ２方向に延びる折り曲げ線５５ｂによりほぼ直角に曲げられている。そのため、Ｘ延出部５２とＸ戻り部５４の幅方向をＺ１−Ｚ２方向へ向け、且つＹ延出部５６の幅方向をＸ１−Ｘ２方向へ向けることができる。そのため、Ｘ延出部５２とＸ戻り部５４を、基台１０の第２のＹ側板１３の内側の狭いスペース内で変形させて移動させることができる。また、Ｙ延出部５６を、ヘッドベース３１が移動するＸ−Ｙ平面と平行に配置することにより、ヘッドベース３１が移動する部分で、Ｙ延出部５６が平面に展開でき、薄型化を実現できるようにしている。【００４７】
図３は、前記ヘッド３０の構造を示している。
図１に示すヘッド移動装置１のＺ１側には、記録媒体７０が対向する。記録媒体７０は平板形状であり、その内部にホログラムが記録されている。ヘッド３０は、半導体レーザの発光素子７１を有している。発光素子７１から発せられた光は、コリメートレンズ７２で平行光束とされ、ガルバノミラー７３で反射されて、記録媒体７０に参照光として照射される。記録媒体７０のホログラム記録部に、前記ザ光が参照光が与えられると、この参照光がホログラム記録部で回折されて再生光となる。そして、ＣＭＯＳ等の平面検出素子７４がこの再生光を受光し、この平面検出素子に接続される演算処理回路が平面検出素子からの信号を処理して、情報が再生される。【００４８】
ヘッド３０がＸ−Ｙ平面内で動くことにより、記録媒体７０でのホログラム記録部を次々に検索することができ、ガルバノミラー７３で参照光の角度を変えることにより、同じホログラム記録部での異なる頁の再生などが可能となる。【００４９】
前記ヘッド移動装置１では、平面検出素子７４が、第１の配線部材４０のヘッド固定部４９に実装されている。第１の配線部材４０は、平面検出素子７４からの検出信号の伝達用として使用されており、そのために、フレキシブル配線板の表面に形成された信号線伝達パターンの表面に、金属箔や導電性ペーストによりシールド層が形成されている。【００５０】
一方、ヘッド固定部５９には、発光素子７１およびガルバノミラー７３の駆動部が実装されている。そして、第２の配線部材５０は発光素子７１およびガルバノミラー７３に接続されており、駆動電力を供給する。さらに、中間移動部２０に搭載されているＹ送りモータも第２の配線部材５０に接続され、駆動電力を得ている。【００５１】
前記実施の形態では、第１の配線部材４０と第２の配線部材５０の双方が使用されているが、ヘッド移動装置にいずれかの一方の配線部材のみが設けられているものであってもよい。また本発明におけるヘッドは、ホログラム再生用に限られず、印刷用ヘッドなどであってもよい。
【図面の簡単な説明】
【００５２】
【図１】本発明の実施の形態のヘッド移動装置を示す斜視図、
【図２】前記ヘッド移動装置に設けられた配線部材の斜視図、
【図３】ヘッドの構造を示すブロック図、
【符号の説明】
【００５３】
１  ヘッド移動装置
１０  基台
１６  Ｘ方向送りスクリュー軸
２０  中間移動部
２５  Ｙ方向送りスクリュー軸
３０  ヘッド
３１  ヘッドベース
４０  第１の配線部材
４１  固定部
４２  Ｘ延出部
４３  第１のループ部
４４  Ｘ戻り部
４５  中間固定部
４６  Ｙ延出部
４７  第２のループ部
４８  Ｙ戻り部
４９  ヘッド固定部
５０  第２の配線部材
５１  固定部
５２  Ｘ延出部
５３  第１のループ部
５４  Ｘ戻り部
５５  中間固定部
５６  Ｙ延出部
５７  第２のループ部
５８  Ｙ戻り部
５９  ヘッド固定部
６１ａ  固定片
７１  発光素子
７２  コリメートレンズ
７３  ガルバノミラー
７４  平面検出素子
【図１】
2008007656.tif 000003
【図２】
2008007656.tif 000004
【図３】
2008007656.tif 000005
【国際調査報告】
2008007656.tif 000006
2008007656.tif 000007